(57)【特許請求の範囲】
【請求項１】
締付構造材に穿けられた取付孔に挿入されるねじ部をもつ締付ボルトと、このねじ部にねじ込まれるナットと、このナットを覆う筒状覆いと、を備えて構成される締付ボルト・ナットの締め付け構造であって、
前記ナットは、一端面にリング状の抜け出し防止つばが一体成形され、
前記筒状覆いは、円筒形の外周面をもち、かつ、前記抜け出し防止つばに対応した係合孔が底壁部に形成され、
前記抜け出し防止つばは、テーパ面とされて、その最大外径は、前記係合孔の口径よりも僅かに大きな寸法とされ、
前記筒状覆いの底壁部は、その肩部に形成される放射方向の複数のスリ割溝によって可撓性が与えられ、
前記締付ボルトのねじ部の先端方向から、前記ナットに前記筒状覆いが被せられ、この筒状覆いの底壁部を、前記ナットの抜け出し防止つばに強く押し付けて、その底壁部を弾性変形させて、前記筒状覆いが取り付けられ、
前記ナットを平滑な円筒面をもつ前記筒状覆いで覆って、この筒状覆いを容易に取り外すことができない状態として、前記ナットが緩められるのを防止する、ことを特徴とする締付ボルト・ナットの緩め防止構造。
【請求項２】
前記ナットは前記ねじ部にねじ込まれる締付ナットの戻りを防止するロックナットであることを特徴とする請求項１記載の締付ボルト・ナットの緩め防止構造。
【請求項３】
前記ナットは、前記ねじ部に対応しためねじを内周面に形成された内筒部と、この内筒部に対して回転可能に嵌められ外面に前記抜け出し防止つば及び締付工具を作用できる６角頭を形成された外筒部とを備え、
前記内筒部と前記外筒部の対応表面には外筒部の締め付け方向の回転運動のみを内筒部に伝える一方向回転歯が形成された、ことを特徴とする請求項１または２に記載の締付ボルト・ナットの緩め防止構造。
【発明の詳細な説明】
【０００１】
【発明の属する技術分野】
本発明はボルト・ナットによる構造材の締め付け構造に関し、特に、締め付けられたボルト・ナットが第三者によって後から緩められるのを防止する構造に関する。
【０００２】
【背景技術】
周知のように、例えば送電線のパイプ鉄塔等のような構造材においては、多数の締付ボルト・ナットを用いて２つの構造材を締め付け固定するのが普通である。
図９は従来のパイプ鉄塔の一部を示し、下部構造材Ｘ1 及び上部構造材Ｘ2 の対応端部にはフランジＦ1 ，Ｆ2 がそれぞれ形成され、取付孔Ｙを形成されたこれらのフランジＦ1 ，Ｆ2 間が多数の締付ボルト・ナットにより固定される。
【０００３】
つまり、これらの締付ボルト・ナットは取付孔Ｙに挿入される締付ボルトＢを備え、これらの締付ボルトＢのねじ部ｂにはトルクレンチ等の締付工具により締付ナットＮが略一定トルクで締め付けられ、これらの締付ボルト・ナットの締付力により下部構造材Ｘ1 と上部構造材Ｘ2 とが一体化される。
【０００４】
ところで、このような構造材は、野外に設置されるので、第三者により締付ボルト・ナットがトルクレンチ等を用いて緩められる危険があり、このような締付ボルト・ナットの緩めや除去が行われると、構造材の倒壊の危険性がある。
勿論、このような締付ボルト・ナットが緩められる危険性は、締付ナットＮの他に、ロックナットを締付ボルトＢのねじ部に付設する場合にも生じるから、締め付けられた締付ボルト・ナットが後発的に第三者により緩められる危険性がないことが望まれている。
【０００５】
また、このような締付ボルト・ナットの緩めによる構造物の倒壊の問題は、チャンネル鋼材等で構成される大型構造物、例えば大型橋梁、大型クレーンにおいても、第三者による緩め危害問題として問題視されつつある。
【０００６】
【発明が解決しようとする課題】
本発明の目的は、以上に述べたような従来の構造材に用いる締付ボルト・ナットの問題に鑑み、締め付け状態におかれたボルト・ナットが後発的に第三者により緩められることのない締付ボルト・ナットの緩め防止構造を得るにある。
【０００７】
【課題を解決するための手段】
この目的を達成するため、本発明は、締付構造材に穿けられた取付孔に挿入されるねじ部をもつ締付ボルト及び同ねじ部にねじ込まれるナットで構成される締付ボルト・ナットにおいて、前記ナットの一端面にリング状の抜け出し防止つばを一体成形し、円筒形の外周面をもちかつ前記抜け出し防止つばに対応した係合孔を底壁部に形成された筒状覆いで前記ナットを覆った締付ボルト・ナットの緩め防止構造を提案するものである。
【０００８】
後述する本発明の好ましい実施例の説明においては、
1)前記筒状覆いの底壁部には放射方向の複数のスリ割溝で可撓性が与えられた構造、
2)前記ナットは前記ねじ部にねじ込まれる締付ナットの戻りを防止するロックナットである構造、
3)前記ナットは、前記ねじ部に対応しためねじを内周面に形成された内筒部と、この内筒部に対して回転可能に嵌められ外面に前記抜け出し防止つば及び締付工具を作用できる６角頭を形成された外筒部とを備え、前記内筒部と前記外筒部の対応表面には外筒部の一方向の回転運動のみを内筒部に伝える一方向回転歯が形成された構造
が説明される。
【０００９】
【発明の実施の形態】
以下、図１から図８について本発明の実施例の詳細を説明する。
図１から図５は本発明の第１実施例による締付ボルト・ナットの緩め防止構造を示し、例えばパイプ鉄塔等のフランジである２つの締付構造材Ｆ1 ，Ｆ2 には貫通した取付孔１が形成され、この取付孔１に挿入される締付ボルト２とこの締付ボルト２のねじ部２ａにねじ込まれるナットとにより、両締付構造材Ｆ1 ，Ｆ2 が互いに固定関係におかれる。
【００１０】
第１実施例の場合、固定される締付構造材Ｆ1 ，Ｆ2 の間には取付孔１が形成され、同取付孔１に挿入される締付ボルト２のねじ部２ａに締付ナット３及びロックナット４Ａがねじ込まれるが、締付ボルト２の頭部２ｂの回転を抑えた状態として、これらの締付ナット３及びロックナット４Ａがトルクレンチ等の締付工具で締め付けられる。
【００１１】
本発明においては、ロックナット４Ａの上面にはリング状の抜け出し防止つば５が一体成形され、この抜け出し防止つば５には前記締付ナット３及びロックナット４Ａを取り囲む筒状覆い６が取り付けられる。この筒状覆い６は厚肉金属板から一端が閉塞された円筒状に成形されるもので、外周面を平滑な円筒面とされる周壁部６ａの内部には前記締付ナット３及びロックナット４Ａを収容できる円筒空間７が形成され、同周壁部６ａに連続した底壁部６ｂの中心部には前記抜け出し防止つば５に対応した係合孔８が形成してある。
【００１２】
つまり、テーパ面とされる前記抜け出し防止つば５の最大外径Ｄ1 は、係合孔８の口径ｄ1 よりも僅かに大きな寸法とされると共に、筒状覆い６の肩部に形成する複数のスリ割溝９により底壁部６ｂに可撓性が与えられるから、図５に示すように、ロックナット４Ａに対して矢印方向に筒状覆い６を押し付けるだけで、底壁部６ｂが弾性変形し、図２のような組立状態を得ることができる。
【００１３】
第１実施例による壱は、以上のような構造であるので、次のような工程で締付構造材Ｆ1 ，Ｆ2 を締付・固定できる。
まず、図４に示すように、締付構造材Ｆ1 ，Ｆ2 の取付孔１に締付ボルト２のねじ部２ａを挿入し、同ねじ部２ａに締付ナット３をねじ込んで同締付ナット３をトルクレンチ等の締付工具で締め付ければ、締付構造材Ｆ1 ，Ｆ2 間が固定されるが、同締付ナット３の緩みを防止するため、前記ねじ部２ａにロックナット４Ａがねじ込まれる。
【００１４】
この後、図５に示すように、前記ねじ部２ａの先端方向から締付ナット３及びロックナット４Ａに筒状覆い６が被せられ、同筒状覆い６の底壁部６ｂをロックナット４Ａの抜け出し防止つば５に強く押し付ければ、同底壁部６ｂが弾性変形して、筒状覆い６が図１に示すような状態に取り付けられる。
この筒状覆い６の取付状態においては、トルクレンチ等の締付工具を作用できる締付ナット３及びロックナット４Ａが平滑な円筒面をもつ筒状覆い６で覆われ、しかも同筒状覆い６は容易に取り外すことができない状態にあるから、締付ナット３及びロックナット４Ａが後発的に第三者により緩められる危険性を回避できる。
【００１５】
図６及び図７は本発明の第２実施例による締付ボルト・ナットの緩め防止構造を示し、前述した第１実施例と同一構造部分については同一符号を付して示してある。
第２実施例の特徴は、筒状覆い６を固定するロックナット４Ｂが、めねじ１０を内周面に形成された円筒形の内筒部４ａと、端面に抜け出し防止つば５を一体成形された外筒部４ｂで構成され、これらの内筒部４ａと外筒部４ｂとの間に両者を離間方向に付勢するばね１１が介装してある点にある。
【００１６】
また、第２実施例の外筒部４ｂの外周面はトルクレンチ等の締付工具を作用できる６角頭１２とされ、同外筒部４ｂと内筒部４ａとの間には互いに噛合する一方向回転歯１３Ａ，１３Ｂがそれぞれ形成される。つまり、これらの一方向回転歯１３Ａ，１３Ｂは、図８に示された矢印方向の外筒部４ｂの作用力は内筒部４ａに伝わるが、この力と反対方向の緩め方向の力は外筒部４ｂから内筒部４ａに伝わらない形状とされる。
【００１７】
第２実施例のロックナット４Ａは、締付ボルトのねじ部２ａに締め付けられると、後から緩めることができない構成であるばかりでなく、同ロックナット４Ａ及び締付ナット３が筒状覆い６で覆われるため、第１実施例の場合と同様に、後発的に第三者により緩められることのない２重に安全な構造となる。
【００１８】
勿論、第１実施例にあっては、締付ナットの後発的な緩みをロックナットの締め付けにより防止した構造であり、しかも本発明をロックナットに施した例であるが、本発明は、ロックナットを用いない場合は、締付ナット自体に適用することもできる。
【００１９】
【発明の効果】
以上の説明から明らかなように、本発明によれば、ナットの端面に抜け出し防止つばを一体成形し、同ナットの締め付け後に筒状覆いでナットを覆うので、後発的に第三者により締め付けられたナットが緩まされる危険性を回避できる。
また、請求項４記載の締付ボルト・ナットの緩め防止構造によると、後発的なナットの緩めに対して２重に安全な構造を実現できる。
【図面の簡単な説明】
【図１】本発明の第１実施例による緩め防止構造の断面図である。
【図２】同緩め防止構造に用いる筒状覆いとロックナットとの関係を示す断面図である。
【図３】同筒状覆いの上面図である。
【図４】同緩め防止構造の締結工程の断面図である。
【図５】同緩め防止構造の筒状覆い取付工程の断面図である。
【図６】本発明の第２実施例の緩め防止構造の断面図である。
【図７】同緩め防止構造に用いる筒状覆いとロックナットの関係を示すの断面図である。
【図８】同ロックナットの一方向回転歯の展開図である。
【図９】従来のパイプ鉄塔の要部の拡大斜視図である。
【符号の説明】
Ｆ1 ，Ｆ2   締付構造材
１          取付孔
２          締付ボルト
２ａ        ねじ部
２ｂ        頭部
３          締付ナット
４Ａ，４Ｂ  ロックナット
４ａ        内筒部
４ｂ        外筒部
５          抜け出し防止つば
６          筒状覆い
８          係合孔
９          スリ割溝
１０        めねじ
１１        ばね
１２        ６角頭
１３Ａ，１３Ｂ  一方向回転歯
【図１】
0004092010.tif 000002
【図２】
0004092010.tif 000003
【図３】
0004092010.tif 000004
【図４】
0004092010.tif 000005
【図５】
0004092010.tif 000006
【図６】
0004092010.tif 000007
【図７】
0004092010.tif 000008
【図８】
0004092010.tif 000009
【図９】
0004092010.tif 000010